(57)【要約】【課題】  簡単な曲げ工程により形成された電気コネクタ部品を提供し、組立作業を容易化する。【解決手段】  ＨＤＭＩ型電気コネクタ部品は、上面タブ２３１を有する上面凹部２３および底部タブを含む後部平行六面体部材２１を含む絶縁体２と、平行導体３と、接地部材５と、２個の側面突起部を含む後部部材４と、金属シートを曲げることにより形成され、後方に延伸し絶縁体２と後部部材４を締結する上部および下部フランジ１１，１２を含む前部突出鞘１０を含む金属製前部ハウジング１と、間にある後部部材４をともに押圧する上部および下部保持部材６，７と、各々Ｕ字状部を有する上部シェル８２および底部シェル８１を含み、両側壁に配置されたラッチおよび穴を含むことにより、底部および上部シェルがともに嵌合状態で結合することが可能なプラスチックケース８とを含む。【選択図】  図１
0003109576.tif 000002
【実用新案登録請求の範囲】
【請求項１】
少なくとも１個の上面タブを有する少なくとも１個の上面凹部および少なくとも１個の底部タブを含む後部平行六面体部材を含む絶縁体と、
複数の平行導体と、
接地部材と、
２個の側面突起部を含む後部部材と、
金属シートを曲げることにより形成され、後方に延伸し絶縁体と後部部材を締結する上部および下部フランジを含む前部突出鞘を含む金属製前部ハウジングと、
間にある前記後部部材をともに押圧するように構成された上部保持部材および下部保持部材と、
各々Ｕ字状部を有する上部シェルおよび底部シェルを含み、両側壁に配置された複数のラッチおよび穴を含むことにより、前記上部シェルのラッチが前記底部シェルの穴に挿入するように構成され、前記底部シェルのラッチが前記上部シェルの穴に挿入するように構成され、前記底部および上部シェルの両方をともに締結するケースと
を含む電気コネクタ部品。
【請求項２】
前記上部および下部フランジの各々が、絶縁体の挿入されたタブのうちの１個を受け入れて締結するように構成された少なくとも１個の開口部を含み、前記鞘が、後部部材の２個の挿入された突起部を受け入れて締結するように各々が構成された２個の側面第１開口部と、後方に突起し、各々２個の第２開口部、上部くぼみ、および下部脚部を含む２個の側面位置決め部材とを含む、請求項１に記載の電気コネクタ部品。
【請求項３】
前記上部および下部フランジの各々が、前記鞘とともに形成された曲げ部材を更に含み、前記上部フランジが絶縁体の凹部と実質的に同じ幅を有し、前記下部フランジが鞘と実質的に同じ幅を有する、請求項２に記載の電気コネクタ部品。
【請求項４】
前記底部シェルが、後部湾曲延伸部と、前端に配置された伸張リップと、各側壁上に形成された２個の開口部と、前記底部シェルの開口部間に各々配置された湾曲部を有する２個のトラフとを含む、請求項１に記載の電気コネクタ部品。
【請求項５】
前記上部シェルが、通されたケーブルを前記底部シェルの後部延伸部とともに締め付ける湾曲後部延伸部と、前端に配置された伸張リップと、前記リップに隣接して配置され、第２開口部に挿入して締結されるように構成された２個の側面隆起部と、前記側面隆起部に隣接して配置され、位置決め部材のくぼみに挿入して締結されるように構成された２個の側面ラッチと、前記隆起部およびラッチと同じ高さを有し、底部シェルの開口部に挿入して締結されるように構成された２個の側面タブと、前記上部シェルのタブ間に各々配置された湾曲部を有し、前記底部シェルのトラフに滑り込んで位置決めするように構成された２個の側面突出部とを含む、請求項１に記載の電気コネクタ部品。
【請求項６】
前記上部シェルのリップが、前記鞘の外面と嵌合状態で係合した中間溝を含む、請求項５に記載の電気コネクタ部品。
【考案の詳細な説明】
【技術分野】
【０００１】
本考案は、電気コネクタ、より詳細には改良された特性を有するＨＤＭＩ型電気コネクタ部品に関する。
【背景技術】
【０００２】
電気コネクタはケーブルの端部において利用され、２個の電子装置を互いに電気的に接続してその間で信号を伝達させる。さらに、時代が進展するにつれて、ＬＣＤ（液晶ディスプレイ）等の幅広い種類の先進の電子製品が市販されてきている。したがって、既存の電気的な要件を満たす上で、電気コネクタ利用における継続的な改良が、製造業者により常に追求されている。たとえば、ＨＤＭＩ（high definition multimedia interface）型電子コネクタが新しく開発されている。ＨＤＭＩ型コネクタは、ＤＶＩ（digital video interface）型コネクタの長所を有しているが、その短所は有していない。さらに、ＨＤＭＩ型コネクタは、よりコンパクトであり、ＡＶ（audio video）製品に簡単に搭載できるように構成されている。
【考案の開示】
【考案が解決しようとする課題】
【０００３】
しかし、周知のＨＤＭＩ型コネクタの金属製のカバーは、低精度、加工の難しさ、望ましくない押出し法による低い生産高といういくつかの難点がある。したがって、改良されたＨＤＭＩ型電気コネクタを提供することが望まれている。
【０００４】
本考案の目的は、簡単な曲げ工程により形成された電気コネクタ部品を提供し、組立作業を容易化することである。
本考案の別の目的は、全ての構成要素が密閉されて操作時のＥＭＩを実質的に排除する電気コネクタ部品を提供することである。
【０００５】
本考案の更なる目的は、内部構成要素の締結がより信頼性の高いものになるように金属製前部ハウジングおよびプラスチックケース内に複数の締結構造を有する電気コネクタ部品を提供することである。
【課題を解決するための手段】
【０００６】
上記およびその他の目的を達成するために、本考案は、少なくとも１個のタブを有する少なくとも１個の上面凹部および少なくとも１個の底部タブを含む後部平行六面体部材を含む絶縁体と、複数の平行導体と、接地部材と、２個の側面突起部を含む後部部材と、金属シートを曲げることにより形成され、後方に延伸し絶縁体と後部部材を締結する上部および下部フランジを含む前部突出鞘を含む金属製前部ハウジングと、間にある後部部材をともに押圧するように構成された上部保持部材および下部保持部材と、各々Ｕ字状部を有する上部シェルおよび底部シェルを含み、両側壁に配置された複数のラッチおよび穴を含むことにより、上部シェルのラッチが底部シェルの穴に挿入するように構成され、底部シェルのラッチが上部シェルの穴に挿入するように構成され、底部および上部シェルの両方をともに締結するプラスチックケースとを含む電気コネクタ部品を提供する。
【０００７】
本考案の上記ならびにその他の目的、特徴、および長所は、後述の詳細な説明およびその添付図面から明らかとなるであろう。
【考案を実施するための最良の形態】
【０００８】
図１〜図３を参照すると、本考案の好ましい実施形態により構成されたＨＤＭＩ型電気コネクタ部品５０が示されている。
平行六面体コネクタ部品５０は、金属製前部ハウジング１、絶縁体２、複数の平行導体３、後部部材４、接地部材５、上部保持部材６、下部保持部材７、およびプラスチックケース８を含んでいる。各構成要素を下記に詳細に説明する。
【０００９】
前部ハウジング１は、金属シートを曲げることにより形成され、両端にＨＤＭＩ型開口部を有する前部突出鞘１０、鞘１０とともに形成された曲げ部材１１１または１２１をそれぞれ有する上部および下部フランジ１１、１２、上部フランジ１１上に形成された１対の開口部１１２、下部フランジ１２上に形成された１対の開口部１２２、後端から後方に突起した右側および左側位置決め部材１３、１４、右側位置決め部材１３上に形成された１対の開口部１３１、１３２、左側位置決め部材１４上に形成された１対の開口部１４１、１４２、右側位置決め部材１３上に形成された上部くぼみ１３３、左側位置決め部材１４上に形成された上部くぼみ１４３、右側位置決め部材１３上に形成された下部脚部１３４、および左側位置決め部材１４上に形成された下部脚部１４４を含む。
【００１０】
絶縁体２は、後部平行六面体部材２１および前部延伸部２２を含む。凹部２３が平行六面体部材２１の上面に設けられている。凹部の幅は上部フランジ１１の幅と一致する。２個のタブ２３１が、凹部２３上に設けられ、開口部１１２に挿入して締結されるように設けられている。また、２個のタブ２１１が、平行六面体部材２１の底面に設けられ、開口部１２２に挿入して締結されるように設けられている。
【００１１】
平行六面体後部部材４は、絶縁体２の後部に形成され、両側に突起部４１、４２を含んでいる。これらの突起部４１は、開口部１３１、１４１に挿入して締結されるように設けられている。後部部材４、導体３、絶縁体２と後部部材４との間に連結された接地部材５、ならびに後部部材４をその間で押圧する上部保持部材６および下部保持部材７は、周知であるので詳細には説明しない。電気コネクタ部品５０の組立の最初の段階は、前部ハウジング１を絶縁体２、導体３、後部部材４、接地部材５、上部保持部材６、および下部保持部材７と組み合わせた後に終了する。
【００１２】
平行六面体ケース８は、金属シートを曲げることにより各々形成された上部シェル８２および底部シェル８１を含んでいる。底部シェル８１は、矩形平坦部８１１、平坦部８１１とともに形成された後部湾曲延伸部８１２、曲げ部材１２１に当接するように設けられた前端の伸張リップ８１３、２個の側壁８１４、８１５、一方の側壁８１４上に形成された２個の開口部８１４１、８１４２、他方の側壁８１５上に形成された２個の開口部８１５１、８１５２、開口部８１４１と開口部８１４２との間に設けられた湾曲部を有する垂直トラフ８１４３、および開口部８１５１と開口部８１５２との間に設けられた湾曲部を有する垂直トラフ８１５３を含んでいる。
【００１３】
上部シェル８２は、矩形平坦部８２１、平坦部８２１とともに形成された後部湾曲延伸部８２２（延伸部８１２および８２２が、通されたケーブルを締め付けるようになっている）、鞘１０の外面と嵌合状態で係合される溝８２３１をその中間部に有し、曲げ部材１１１に当接するように設けられた前端の伸張リップ８２３（リップ８１３および８２３は共に、プラスチックケース８内に設けられた構成要素の離脱を防ぐように構成されている）、２個の側壁８２４、８２５、両側壁８２４、８２５上にリップ８２３に隣接して設けられ、開口部１３２、１４２に挿入して締結されるように構成された２個の隆起部８２４１、８２５１、両側壁８２４、８２５上に隆起部８２４１、８２５１隣接してそれぞれ設けられ、くぼみ１３３、１４３に挿入して締結されるように構成されたラッチ８２４２、８２５２、側壁８２４に設けられ、隆起部８２４１およびラッチ８２４２と同じ高さであり、各々開口部８１４１、８１４２に挿入して締結されるように構成された１対のタブ８２４３、８２４４、側壁８２５に設けられ、隆起部８２５１およびラッチ８２５２と同じ高さであり、各々開口部８１５１、８１５２に挿入して締結されるように構成された１対のタブ８２５３、８２５４、タブ８２４３とタブ８２４４との間に設けられた湾曲部を有し、トラフ８１４３に滑り込んで位置決めするように構成された垂直突出部８２４５、およびタブ８２５３とタブ８２５４との間に設けられた湾曲部を有し、トラフ８１５３に滑り込んで位置決めするように構成された垂直突出部８２５５を含んでいる。結果として、上部シェル８２と底部シェル８１とが互いに締結される。これにより、図３に示されるように電気コネクタ部品５０の組み立てが終了する。
【００１４】
なお、絶縁体２および後部部材４の組み立て後には、後からラッチ８２４２、８２５２を挿入できるように、適切な間隙を絶縁体２の側面に設けるべきである。
本考案の利点には次のようなものがある。従来の押出し工程と比較すると、本考案の曲げ工程はより簡単で、その組み立てはより容易である。また、前部ハウジング１およびプラスチックケース８には多くの締結構造が設けられ、それにより内部構成要素の締結がより信頼性の高いものとなる。さらに、信号伝達の質および速度の両方が向上する。
【００１５】
本明細書で開示された考案を具体的な実施形態に基づいて説明してきたが、請求項に記載された実用新案登録請求の範囲および本質を逸脱することなく、当業者により、本考案に対して数多くの改良および変更を行うことが可能である。
【図面の簡単な説明】
【００１６】
【図１】本考案の電気コネクタ部品の好ましい実施形態の分解斜視図である。
【図２】図１に示された電気コネクタ部品を反対側に見た分解斜視図である。
【図３】組み立てられた電気コネクタ部品の斜視図である。
【図１】
0003109576.tif 000003
【図２】
0003109576.tif 000004
【図３】
0003109576.tif 000005